(57)【要約】【課題】長期にわたって良好な装飾性を発揮することができ、しかも複雑な装飾を施す場合でも製造が容易で、かつ安価に製造することのできる、装飾の施されたボーリングボール及びその製造方法を提供する。【解決手段】球面の一部の形状に賦形された球面状樹脂シートの内面に昇華インクを用いて印刷された転写部４１を有する転写用球面状樹脂シート３８と、表面が昇華インクの浸透性を有するボーリングボール１３を、球面の一部の形状からなる金型５１のキャビティ内に装着し、前記転写用球面状樹脂シート３８の転写部４１に前記ボーリングボールの表面を接触させ、前記金型５１を加熱することにより、前記転写用球面状樹脂シート３８の昇華インクからなる転写部４１を前記ボーリングボール１３の表面に浸透させて転写した後、前記転写後のボーリングボールを金型５１から取り出す。【選択図】        図４
2005342023.tif 000002
【特許請求の範囲】
【請求項１】
ボーリングボールの表面に昇華インクの浸透による装飾が施されていることを特徴とする装飾の施されたボーリングボール。
【請求項２】
前記装飾が施される前のボーリングボールの表面は少なくとも一部が白色とされ、前記白色部分に前記昇華インクの浸透による装飾が施されていることを特徴とする請求項１に記載された装飾の施されたボーリングボール。
【請求項３】
昇華インクを用いて印刷された転写部を球面の一部の形状に賦形された球面状樹脂シートの内面に有する転写用球面状樹脂シートと、表面が昇華インクの浸透性を有するボーリングボールを、球面の一部の形状からなる金型のキャビティ内に装着し、前記転写用球面状樹脂シートの転写部に前記ボーリングボールの表面を接触させる金型装着工程と、
前記金型を加熱することにより、前記転写用球面状樹脂シートの転写部の昇華インクを前記ボーリングボールの表面に転写及び浸透させる転写工程と、
前記転写後のボーリングボールを金型から取り出して、装飾の施されたボーリングボールを得る脱型工程と、
を含むことを特徴とする装飾の施されたボーリングボールの製造方法。
【請求項４】
平板状樹脂シートの片面に昇華インクを用いて転写部を印刷する印刷工程と、前記印刷後の平板状樹脂シートを前記転写部が内向きとなるようにして球面の一部の形状に賦形する球面状賦形工程とにより前記転写用球面状樹脂シートを得た後、前記金型装着工程を行うことを特徴とする請求項３に記載された装飾の施されたボーリングボールの製造方法。
【請求項５】
前記金型装着工程の際、前記金型のキャビティ面と前記転写用球面状樹脂シート間に緩衝部材を配置することを特徴とする請求項３又は４に記載された装飾の施されたボーリングボールの製造方法。
【請求項６】
前記樹脂シートが厚み１０〜４０μｍのポリエチレンテレフタレートからなることを特徴とする請求項３から５の何れか一項に記載された装飾の施されたボーリングボールの製造方法。
【請求項７】
前記球面状賦形工程における前記樹脂シートの賦形を、真空成形、圧空成形、真空・圧空成形の何れかで行うことを特徴とする請求項４から６の何れか一項に記載された装飾の施されたボーリングボールの製造方法。
【請求項８】
前記金型のキャビティが半球面形状からなることを特徴とする請求項３から７の何れか一項に記載された装飾の施されたボーリングボールの製造方法。
【請求項９】
前記転写工程の際、加熱した前記金型のキャビティ内へ向けて前記ボーリングボールを加圧することを特徴とする請求項３から８の何れか一項に記載された装飾の施されたボーリングボールの製造方法。
【請求項１０】
前記装飾が施されるボーリングボールは表面の少なくとも一部が白色からなり、前記金型装着工程の際、前記白色部分が前記転写用球面状樹脂シートの転写部と対向するようにして前記ボーリングボールを前記金型のキャビティ内に装着することを特徴とする請求項３から９の何れか一項に記載されたボーリングボールの製造方法。
【発明の詳細な説明】
【技術分野】
【０００１】
本発明は、装飾の施されたボーリングボール及びその製造方法に関する。
【背景技術】
【０００２】
従来、視覚的に変化に富んだボーリングボールとして、動物の形やキャラクタの形等の造形物を透明な樹脂内に封入したものが提案されている。しかし造形物を封入したボーリングボールは、製造が容易とは言い難く、高価になる問題もある。
【０００３】
なお、ボーリングボールの表面に図柄や文字等の装飾を直接印刷することも考えられるが、その場合、ボーリングボールの表面がボーリング場の床面と擦れ合って、ボール表面の装飾が短期間で削られ、見苦しい状態になったり消失したりするおそれがある。また、ボーリングボールの表面に装飾を設け、さらにその上に透明樹脂層を形成して、装飾を保護することも提案されているが、その場合には製造が複雑で、コストが嵩む問題がある。
【特許文献１】特開平１１−２５３５８２号公報
【特許文献２】特開平９−２８８３４号公報
【発明の開示】
【発明が解決しようとする課題】
【０００４】
本発明は前記の点に鑑みなされたもので、長期にわたって良好な装飾性を維持することができ、しかも複雑な装飾を施す場合でも製造が容易で、かつ安価に製造することのできる、装飾の施されたボーリングボール及びその製造方法を提供することを目的とする。
【課題を解決するための手段】
【０００５】
請求項１の発明は、ボーリングボールの表面に昇華インクの浸透による装飾が施されていることを特徴とする装飾の施されたボーリングボールに係る。
【０００６】
請求項２の発明は、請求項１において、前記装飾が施される前のボーリングボールの表面は少なくとも一部が白色とされ、前記白色部分に前記昇華インクの浸透による装飾が施されていることを特徴とする。
【０００７】
請求項３の発明は、昇華インクを用いて印刷された転写部を球面の一部の形状に賦形された球面状樹脂シートの内面に有する転写用球面状樹脂シートと、表面が昇華インクの浸透性を有するボーリングボールを、球面の一部の形状からなる金型のキャビティ内に装着し、前記転写用球面状樹脂シートの転写部に前記ボーリングボールの表面を接触させる金型装着工程と、前記金型を加熱することにより、前記転写用球面状樹脂シートの転写部の昇華インクを前記ボーリングボールの表面に転写及び浸透させる転写工程と、前記転写後のボーリングボールを金型から取り出して、装飾の施されたボーリングボールを得る脱型工程と、を含むことを特徴とする装飾の施されたボーリングボールの製造方法に係る。
【０００８】
請求項４の発明は、請求項３において、平板状樹脂シートの片面に昇華インクを用いて転写部を印刷する印刷工程と、前記印刷後の平板状樹脂シートを前記転写部が内向きとなるようにして球面の一部の形状に賦形する球面状賦形工程とにより前記転写用球面状樹脂シートを得た後、前記金型装着工程を行うことを特徴とする。
【０００９】
請求項５の発明は、請求項３又は４において、前記金型装着工程の際、前記金型のキャビティ面と前記転写用球面状樹脂シート間に緩衝部材を配置することを特徴とする。
【００１０】
請求項６の発明は、請求項４において、前記平板状樹脂シートが厚み１０〜４０μｍのポリエチレンテレフタレートからなることを特徴とする。
【００１１】
請求項７の発明は、請求項４から６の何れか一項において、前記球面状賦形工程における前記樹脂シートの賦形を、真空成形、圧空成形、真空・圧空成形の何れかで行うことを特徴とする。
【００１２】
請求項８の発明は、請求項３から７の何れか一項において、前記金型のキャビティが半球面形状からなることを特徴とする。
【００１３】
請求項９の発明は、請求項３から８の何れか一項において、前記転写工程の際、加熱した前記金型のキャビティ内へ向けて前記ボーリングボールを加圧することを特徴とする。
【００１４】
請求項１０の発明は、請求項３から９の何れか一項において、前記装飾が施されるボーリングボールは表面の少なくとも一部が白色からなり、前記金型装着工程の際、前記白色部分が前記転写用球面状樹脂シートの転写部と対向するようにして前記ボーリングボールを前記金型のキャビティ内に装着することを特徴とする。
【発明の効果】
【００１５】
請求項１の発明によれば、ボーリングボールの表面に昇華インクの浸透による装飾が施されているため、ボールの表面がボーリング場の床面で擦られても、ボール内部の装飾は影響を受けず、装飾が見苦しくなったり、消失したりするおそれがない。
【００１６】
また、昇華インクは、染料系のため、赤、青、黄色の３原色しか存在せず、彩色に制限があり、天然色で彩色するには、白色が必要となる。請求項２の発明によれば、装飾前のボーリングボールは表面の一部が少なくとも白色からなり、その白色部分に昇華インクで装飾が施されているため、白色と赤色、青色、黄色の混色が可能となり、ボーリングボールの表面に天然色の装飾が可能となり、ボーリングボールの装飾性を、一層高めることができる。
【００１７】
請求項３の発明によれば、昇華インクを用いて印刷された転写部を有する転写用球面状樹脂シートと、表面が昇華インクの浸透性を有するボーリングボールを、球面の一部の形状からなる金型のキャビティ内に装着し、前記転写用球面状樹脂シートの転写部に前記ボーリングボールの表面を接触させて金型を加熱することによって装飾を施すことができるため、装飾の施されたボーリングボールを容易に、かつ安価に得ることができる。しかも、転写用球面状樹脂シートに昇華インクで印刷する転写部の文字や図形等の模様を変更することによって、ボーリングボールに施す模様を容易に変更することができ、多彩な装飾を安価に行うことができる。しかも装飾の施されたボーリングボールは、請求項１の発明による効果に記載したように、耐摩耗性の高い装飾性を発揮する。
【００１８】
請求項４の発明によれば、平板状樹脂シートの片面に昇華インクを用いて転写部を印刷するため、転写部の印刷を容易に、かつ良好に行うことができる。
【００１９】
請求項５の発明によれば、金型装着工程の際、金型のキャビティ面と転写用球面状樹脂シート間に緩衝部材を配置するため、緩衝部材によって、転写用球面状樹脂シートがボーリングボールの表面に密着し易くなり、ボーリングボール表面への転写が一層良好になる。
【００２０】
請求項６の発明によれば、樹脂シートが厚み１０〜４０μｍのポリエチレンテレフタレートからなるため、転写用球面状樹脂シートは形状保持性があり、金型のキャビティへの装着等の際に扱い易く、しかも昇華インクの浸透性が少なく、転写部の昇華インクを転写工程の際にボーリングボールの表面へ効率よく浸透させ、転写することができる。
【００２１】
請求項７の発明によれば、球面状賦形工程における樹脂シートの賦形を、真空成形、圧空成形、真空・圧空成形の何れかで行うため、転写用球面状樹脂シートを容易に得ることができる。
【００２２】
請求項８の発明によれば、金型のキャビティが半球面形状からなるため、金型装着工程時にボーリングボールの装着が容易で、しかも転写工程時にボーリングボールを確実に保持し、転写を良好にすることができ、さらには脱型工程時にボーリングボールの脱型を容易に行うことができる。
【００２３】
請求項９の発明によれば、転写工程の際、加熱した金型のキャビティ内へ向けてボーリングボールを加圧するため、転写用球面状樹脂シートの転写部をボーリングボールの表面に、より確実に密着させることができ、良好かつ確実に転写することができる。
【００２４】
請求項１０の発明によれば、装飾が施されるボーリングボールは表面の少なくとも一部が白色からなり、金型装着工程の際、白色部分が転写用球面状樹脂シートの転写部と対向するようにしてボーリングボールを金型のキャビティ内に装着するため、ボーリングボールの白色の部分に昇華インクからなる装飾を容易に施すことができ、請求項２に記載したように、ボーリングボールの表面に天然色の装飾が可能となり、ボーリングボールの装飾性を一層高めることができる。
【発明を実施するための最良の形態】
【００２５】
以下本発明の実施形態を詳細に説明する。図１は本発明における第１実施形態及び第２実施形態に係る装飾の施されたボーリングボールの正面図、図２は本発明の製造方法における転写部の形成された平板状樹脂シートの平面図、図３は球面状賦形工程を示す図、図４は金型装着工程を示す断面図、図５は転写工程を示す断面図、図６は脱型工程を示す断面図である。
【００２６】
図１に示す第１実施形態に係る装飾の施されたボーリングボール１０は、表面の一部が白色部分１１とされ、表面の残りが白色以外の他の色部分１２とされたボーリングボール１３と、前記ボーリングボール１３の表面の白色部分１１に施された装飾１４とよりなる。また、第２実施形態に係る装飾の施されたボーリングボール２０は、表面全体が白色あるいは他の色からなるボーリングボール２３と、ボーリングボールの表面に施された装飾２４とよりなる。
【００２７】
前記ボーリングボール１３，２３、すなわち装飾の施される前のボーリングボールは、少なくとも表面が昇華インクの浸透性を有する樹脂で構成されている。例えば芯部とその外周の表面層からなるボーリングボールにあっては表面層が昇華インクの浸透性を有する樹脂で構成され、また全体が同一材質からなるボーリングボールにあっては全体が、昇華インクの浸透性を有する樹脂で構成されている。なお、昇華インクの浸透性を有する樹脂とは、加熱された昇華インクが浸透可能な樹脂を言い、例えばポリエステル樹脂、セルロースエステル等を挙げることができる。本実施例のボーリングボール１３，２３は、全体がポリエステル樹脂からなる。ボーリングボール１３，２３の表面の色は、ボーリングボーリングを構成する樹脂に着色剤を添加することによって付与される。また、ボーリングボール１３のように、装飾前のボーリングボールの表面が白色と他の色からなるものや、マーブル状の模様については、着色剤の異なる樹脂をボーリングボール型内に順次注型すること、あるいは、着色剤を不均一に樹脂に混練し、樹脂液にまだらの模様が残った状態で注型することで）色分けされる。
【００２８】
前記装飾１４，２４は、前記ボーリングボール１３，２３の表面に昇華インクが浸透して形成されている。昇華インクの浸透によって、ボーリングボール表面の装飾１４，２４が耐摩耗性の高いものとなる。前記装飾１４，２４は、文字や図形等によって構成される。また、前記白色部分１１に形成される装飾１４は、白色の地が残らないように白色部分全範囲に渡るものであってもよい。昇華インクは、染料系からなる公知のもので、赤、青、黄色の３原色しか存在しないため、ボーリングボールの白色部分に適用することによって、天然色の装飾を形成することが可能となる。昇華インクの例としては、アゾ、アントラキノン、キノフタロン、スチリル、ジまたはトリフェニルメタン、オキサジン、トリアジン、キサンテン、メチン、アゾメチン、アクリジン、ジアジン等の染料があり、これらの内、1,4−ジメチルアミノアントラキノン、臭化または塩化1,5−ジヒドロキシ-4,8−ジアミノアントラキノン、1,4−ジアミノ-2,3−ジクロロアントラキノン、1-アミノ−４−ヒドロキシアントラキノン、1−アミノ-4-ヒドロキシ-2-（β−メトキシエトキシ）-アントラキノン、1-アミノ−４−ヒドロキシ−２−フェノキシアントラキノン、1,4−ジアミノアントラキノン-2-カルボン酸のメチル、エチル、プロピル、ブチルエステル、1,4−ジアミノ-2-メトキシアントラキノン、1−アミノ-4-アニリノアントラキノン、1-アミノ-2-シアノ-4-アニリノ（またはシクロヘキシルアミノ）-アントラキノン、1−ヒドロキシ-2-（p−アセトアミノフェニルアゾ）-4-メチルベンゼン、3-メチル-4-（ニトロフェニルアゾ）-ビラゾロン、3-ヒドロキシキノフタロン等がある。また、塩基性染料としてマラカイトグリーン、メチルバイオレット等を用いることができ、酢酸ナトリウム、ナトリウムエタレート、ナトリウムメチラート等で変性した染料等を挙げることができる。なお、前記装飾１４，２４は、後述するように転写用球面状樹脂シートに設けられている昇華インクからなる転写部を、ボーリングボール１３，２３の表面に熱転写することにより形成される。
【００２９】
次に、装飾の施されたボーリングボールの製造方法について、前記ボーリングボール１３の白色部分１１に装飾を施す場合を例にして説明する。ここで説明する装飾の施されたボーリングボールの製造方法は、転写用球面状樹脂シート成形工程、金型装着工程、転写工程、脱型工程からなる。
【００３０】
転写用球面状樹脂シート成形工程は、昇華インクを用いて印刷された転写部を球面状樹脂シートの内面に有する転写用球面状樹脂シートの形成工程であり、この例では、印刷工程と球面状賦形工程よりなる。
【００３１】
印刷工程では、図２に示すように、平板状樹脂シート３１の片面に昇華インクを用いて転写部４１を印刷する。平板状樹脂シート３１としては、適宜の単層樹脂シート、積層樹脂シート、あるいは蒸着樹脂シート等を使用することができる。例えば、ポリエチレンテレフタレート（ＰＥＴ）シート、アクリルシート、塩化ビニル樹脂シート、ポリプロピレンシート、アルミ複合シート、アルミ蒸着シート等を挙げることができる。特には厚み１０〜４０μｍのポリエチレンテレフタレートからなる平板状樹脂シートが、その後の球面状の賦形及び、形状保持性及び取り扱い性の点で好適である。前記平板状樹脂シート３１への印刷は、シルクスクリーン印刷、グラビア印刷、トッパン印刷など、公知の印刷方法で行われる。また、印刷される内容は、図柄や文字等の装飾を構成するものからなる。なお、図２における円３２は、その後に裁断される位置を示すが、前記平板状樹脂シート３１の表面に実際に印刷等で形成されていてもよい。
【００３２】
球面状賦形工程では、前記印刷済みの平板状樹脂シートを転写部４１が内向きとなるようにして球面の一部の形状に賦形し、転写用球面状樹脂シートを得る工程である。賦形方法としては、公知の真空成形、圧空成形、真空・圧空成形の何れかが、成形作業が容易でしかも良好な球面状が得られる点から好ましい。なお、真空成形は、加熱軟化させた樹脂シートを金型の型面に真空吸引して密着させ、その状態で冷却して形状固定する方法であり、圧空成形は、加熱軟化させた樹脂シートに圧縮空気を吹き付けて金型の型面に押し付けることにより密着させ、その状態で冷却して形状固定する方法であり、真空・圧空成形は、加熱した樹脂シートを金型の型面に真空吸引すると共に、樹脂シートに圧縮空気を吹き付けて金型の型面に押し付け、その状態で冷却して形状固定する方法である。
【００３３】
ここでは、球面状賦形工程の一例として、真空成形を用いて転写用球面状樹脂シート３８を得る方法を説明する。図３の３−Ａのように、印刷済みの平板状樹脂シート３１の周縁をクランプ等の把持手段４３で保持し、図示しない加熱手段で平板状樹脂シート３１を加熱して軟化させた後、真空成形金型４５にセットし、前記転写部４１が内向きとなるようにして真空成形金型４５の型面４６に真空吸引し、型面４６に密着させる。前記型面４６は、ボーリングボールと同一あるいは僅かに大きい球面の一部の形状からなる。また、型面４６には真空吸引孔４７が形成されていて、前記樹脂シート３１と型面４６間の空気を、金型４５に接続された真空吸引装置（図示せず。）によって金型外へ吸引可能にされている。前記平板状樹脂シート３１の加熱温度は、平板状樹脂シート３１が軟化する温度とされ、樹脂の種類に応じて定まる。
【００３４】
前記樹脂シート３１を型面４６に密着させた状態で冷却し、樹脂シート３１の形状を固定した後、金型４５から取り出し、図３の３−Ｂ、３−Ｃのように球面状賦形部分の外周を切除して、転写部４１を球面状樹脂シート３７の内面に有する転写用球面状樹脂シート３８を得る。転写用球面状樹脂シート３８の開口部の直径Ｄは、ボーリングボールにおける模様を設ける範囲に応じて決められる。なお、前記球面状賦形部分の外周を切除しないで残しておいてもよく、その場合、球面状賦形部分の周縁にフランジ３９を有するものが球面状樹脂シート３７となる。また、前記の例では、印刷の容易さから平板状の樹脂シートに転写部４１を印刷した後、球面状に賦形しているが、本発明では、先に球面状に賦形した後に転写部４１を印刷してもよい。
【００３５】
金型装着工程では、図４に示すように、昇華インクを用いて印刷された転写部４１を内面に有する転写用球面状樹脂シート３８と、表面が昇華インクの浸透性を有するボーリングボール１３を、球面の一部の形状からなる金型５１のキャビティ５２内に装着し、前記転写用球面状樹脂シート３８の転写部４１に前記ボーリングボール１３の表面を接触させる。前記のようにボーリングボール１３は、表面の一部が白色部分１１とされ、表面の残りが白色以外の他の色部分１２とされたものであり、前記白色部分１１に転写用球面状樹脂シート３８の転写部４１が重なるように、転写用球面状樹脂シート３８との位置関係が定められる。また、前記金型のキャビティ５２にボーリングボール１３と転写用球面状樹脂シート３８を装着する際に、ボーリングボール１３と転写用球面状樹脂シート３８の位置がずれるのを防ぐため、あらかじめボーリングボール１３の白色部分１１に転写用球面状樹脂シート３８を被せ、さらに転写用球面状樹脂シート３８の周縁を接着テープなどでボーリングボール１３の表面に固定しておき、その状態でボーリングボール１３と転写用球面状樹脂シート３８を金型のキャビティ５２に装着してもよい。
【００３６】
前記金型５１のキャビティ５２は、前記転写用球面状樹脂シート３８及びボーリングボール１３を収容し装着した際に、転写用球面状樹脂シート３８の内面とボーリングボール１３の表面が密着可能な大きさからなる。さらに、前記キャビティ５２の大きさは、ボーリングボール１３の保持が確実で、しかも装飾後にボーリングボールの脱型が容易なように、図示のごとく半球面形状が好ましい。また、前記金型５１には、前記キャビティ５２に装着された転写用球面状樹脂シート３８の転写部４１を加熱してボーリングボール１３の表面に転写可能にするための加熱手段（図示せず。）が設けられている。前記加熱手段は適宜のものとされるが、例えば金型５１内に埋設した電熱ヒータによるものや、金型５１内に配設したパイプに熱媒を循環させるものなどが挙げられる。
【００３７】
さらにこの例では、前記金型５１のキャビティ５２に転写用球面状樹脂シート３８及びボーリングボール１３を装着する際、前記金型５１のキャビティ面５３と転写用球面状樹脂シート３８間に緩衝部材６１が配置される。前記緩衝部材６１を配置することによって、前記転写用球面状樹脂シート３８の内面の転写部４１が、より確実にボーリングボール１３の表面に密着し、その後の転写を良好に行うことができる。前記緩衝部材６１としては、緩衝性及び適度の耐熱性があれば特に限定されず、アクリル樹脂発泡体やポリウレタン発泡体などの弾性発泡体を挙げることができる。なお、前記緩衝部材６１は、加熱した金型５１のキャビティ面５３による転写用球面状樹脂シート３８の転写部４１に対する加熱を妨げないように、厚み及び材質が設定される。特には、厚み１〜３ｍｍのアクリル樹脂発泡体は、緩衝性が適度であってしかも断熱性が大きくないため、前記緩衝部材６１として好適である。さらに、片面が自己吸着性を有するアクリル樹脂発泡体を緩衝部材６１として用い、前記自己吸着性を利用して予め転写用球面状樹脂シート３８の外面に緩衝部材６１を吸着させた状態とし、前記転写用球面状樹脂シート３８と共に金型５１のキャビティに緩衝部材６１を配置するようにすれば、作業が容易になるのみならず、緩衝部材６１が金型５１内のキャビティ面５３と転写用球面状シート３８間で捻れたり、丸まったりすることがなく、その後の転写時に、転写部４１を確実かつ正しくボーリングボール１３の表面に密着させることができる。
【００３８】
転写工程では、前記金型５１を加熱することにより、前記転写用球面状樹脂シート３８の昇華インクからなる転写部４１を前記ボーリングボール１３の表面、図示の例では白色部分１１に浸透させて転写し、ボーリングボール１３の表面の白色部分１１に模様を施す。その際、図５に示すように、前記ボーリングボール１３の上部に押し型７１を被せ、前記押し型７１を下方へ押して前記ボーリングボール１３を、加熱した金型５１のキャビティ内へ向けて加圧すれば、より確実に前記転写用球面状樹脂シート３８の昇華インクからなる転写部４１をボーリングボール１３の表面に密着させることができ、転写を確実かつ良好に行うことができる。なお、前記金型５１の加熱温度は、前記転写部４１の昇華インクがボーリングボール１３の表面に浸透転写可能な温度とされ、具体的には７０〜２６０℃が一般的である。
【００３９】
脱型工程では、図６に示すように、転写後のボーリングボール、すなわち装飾の施されたボーリングボール１０を金型５１から取り出す。なお、前記転写工程でボーリングボールの加圧が行われている場合には、加圧を解除して脱型を行う。
【００４０】
また、本発明における装飾の施されたボーリングボールは、前記の実施形態に限定されず、白色以外の部分を含むボーリングボールにおける白色以外の部分に昇華インクで装飾を施した場合を含む。さらに、本発明における装飾の施されたボーリングボールの製造方法に関し、図２に示したような表面の全体が白色とあるいは他の色とされたボーリングボールに装飾を施す場合、又は白色以外の部分を含むボーリングボールにおいて白色以外の部分に装飾を施す場合は、前記の説明から容易に理解されるところであり、詳しい説明を省略する。
【実施例】
【００４１】
次に具体的な実施例を述べる。厚み２０μｍのポリエチレンテレフタレートからなる、一辺３５０ｍｍの正方形をした平板状樹脂シートの片面にシルクスクリーン印刷を用いて昇華インクにより印刷して転写部を形成した。使用した昇華インクは、東洋インキ製造株式会社製、藍、赤、黄、墨である。次に、印刷後の樹脂シートを転写部が内側となるようにして、半径１０９ｍｍからなる球面の一部の形状に真空成形し、次いで真空成形部分の周囲を切除し、開口部の直径（図３の３−Ｃにおける符号Ｄ）が２１８ｍｍからなる転写用球面状樹脂シートを形成した。
【００４２】
前記転写用球面状樹脂シートを、ポリエステル樹脂からなる直径２１８ｍｍのボーリングボールにおける白色部分に重ね、前記転写用球面状樹脂シートの周縁を接着テープでボーリングボールの表面に固定した。ボーリングボールの表面は、直径１４０ｍｍの白色部分とその他の部分がピンクとブルーからなる。また、前記転写用球面状樹脂シートの外面全体には、片面が自己吸着性を有する厚み２ｍｍのアクリル樹脂発泡体（品名：（株）イノアックコーポレーション製アクリルフォーム、商標：ピタッチ）からなる緩衝部材を、片面の自己吸着性を利用して固定した。
【００４３】
次に、前記転写用球面樹脂シート及び緩衝部材が固定されたボーリングボールを、金型のキャビティに装着した。これによって、金型のキャビティ面には緩衝部材が配置され、前記緩衝部材上に転写用球面状樹脂シートが配置され、さらに転写用球面状樹脂シートの内面にボーリングボールの表面の白色部分が配置される。使用した金型は、キャビティが直径２１９ｍｍの半球形状からなり、加熱オイルからなる熱媒を金型内に循環させることによって加熱可能なものである。
【００４４】
前記金型のキャビティにボーリングボールを前記転写用球面樹脂シート及び緩衝部材と共に装着後、ボーリングボールの上部を、内面がほぼ半球面に近い形状に窪んだ押し型により、９８〜１９６Ｎの力で押圧し、ボーリングボールを金型のキャビティ内に向けて加圧すると共に、金型を１９０℃に加熱し、前記転写用球面状樹脂シートの転写部の昇華インクをボーリングボールの白色部分に浸透させて転写した。その状態で２分間加熱後、押し型による加圧を解除し、昇華インクによる装飾の施されたボーリングボールを脱型した。このようにして得られた装飾の施されたボーリングボールは、白色の下地部分に昇華インクが浸透して装飾の施されたものであって、極めて装飾性の高いものであった。さらに、この装飾の施されたボーリングボールを用いて３０００回ゲームを行った後に、ボーリングボール表面の装飾部分を調べたところ、まだ装飾が鮮明に残っており、極めて耐摩耗性の高い装飾であることを確認できた。
【図面の簡単な説明】
【００４５】
【図１】本発明における第１実施形態及び第２実施形態に係る装飾の施されたボーリングボールの正面図である。
【図２】本発明の製造方法における転写部の形成された平板状樹脂シートの平面図である。
【図３】球面状賦形工程を示す図である。
【図４】金型装着工程を示す断面図である。
【図５】転写工程を示す断面図である。
【図６】脱型工程を示す断面図である。
【符号の説明】
【００４６】
１０，２０  装飾の施されたボーリングボール
１１  白色部分
１３，２３  ボーリングボール
１４，２４  装飾
３１  平板状樹脂シート
３７  球面状樹脂シート
３８  転写用球面状樹脂シート
４１  転写部
５１  金型
５２  金型のキャビティ
６１  緩衝部材
７１  押し型
【図１】
2005342023.tif 000003
【図２】
2005342023.tif 000004
【図３】
2005342023.tif 000005
【図４】
2005342023.tif 000006
【図５】
2005342023.tif 000007
【図６】
2005342023.tif 000008